(57)【要約】【課題】一群の光源によって複数の液晶ディスプレイの照明を行うことのできる液晶表示装置を提供する。【解決手段】２以上の液晶ディスプレイ２，３を備えてなる液晶表示装置１において、各液晶ディスプレイ２，３の裏面に対向して導光板５ａ，５ｂを備え、導光板５ａ，５ｂに対して光を照射する一群の光源７を備えた。【選択図】      図１
2005024683.tif 000002
【特許請求の範囲】
【請求項１】
２以上の液晶ディスプレイを備えてなる液晶表示装置において、
前記各液晶ディスプレイの裏面に対向して導光板を備え、導光板に対して光を照射する一群の光源を備えたことを特徴とする液晶表示装置。
【請求項２】
前記各液晶ディスプレイを前記導光板を挟んで互いの裏面が対向するように設け、前記導光板の一端部に前記一群の光源を設けたことを特徴とする請求項１に記載の液晶表示装置。
【請求項３】
前記各液晶ディスプレイを前記導光板を挟んで互いに位置をずらして２以上配設するとともに、前記導光板一端部に前記一群の光源を設けたことを特徴とする請求項１に記載の液晶表示装置。
【請求項４】
前記導光板の同一面上に２以上の前記液晶ディスプレイを配設するとともに、前記導光板に光を照射する前記一群の光源を設けたことを特徴とする請求項１に記載の液晶表示装置。
【発明の詳細な説明】
【０００１】
【発明の属する技術分野】
本発明は、液晶表示装置に係り、特に、２以上の液晶ディスプレイを備える液晶表示装置に関するものである。
【０００２】
【従来の技術】
近年、コンピュータ、ＰＤＡ等の携帯端末等、各種電子機器の表示装置として、液晶ディスプレイを備えた液晶表示装置が多く用いられている。液晶表示装置は、他の画像表示装置と比較して軽量化、薄型化が可能である上、低消費電力を実現することができるため広く利用されており、近時はメインとなるディスプレイのほかにサブディスプレイを設ける等、一つの電子機器の複数箇所に液晶ディスプレイを設けた液晶表示装置も知られている（例えば、特許文献１参照）。
【０００３】
しかし、液晶ディスプレイは自らは発光しない非発光型のディスプレイであるため、画像を視覚的に捉えられるようにするためには、液晶ディスプレイの裏面に光源を設け、その透過する光によって画像を表示させるようにすることが必要となる。そこで、従来から液晶ディスプレイの裏面にＬＥＤや冷陰極蛍光管等の光源を有するバックライトを設けることが行われている。そして、従来、一つの電子機器に複数の液晶ディスプレイを設けた場合には、一つの液晶ディスプレイに対してそれぞれ一群のバックライトが設けられていた。
【０００４】
【特許文献１】
特許３４０８１５４号公報
【０００５】
【発明が解決しようとする課題】
しかしながら、一般にバックライトは多くの電力を消費することが知られており、実際カラー液晶ディスプレイ付きのパーソナルコンピュータ等の端末装置の場合、装置を構成する各部のうちバックライトの消費する電力が最も多い。このため、従来からその電力の確保が大きな問題となっていた。特に、近時のように一つの電子機器に複数の液晶ディスプレイが設けられる場合、各ディスプレイに対して一群ずつバックライトを備えるとその分消費電力が増加することとなる。そのため、その電力を確保するために大容量のバッテリーを搭載する等の必要が生じ、小型化、軽量化が求められる各種端末装置等の電子機器において大きな問題となっていた。また、複数のバックライトを備える場合には、それぞれについて光源やスイッチ等の装置を設けなければならず、装置の大型化やコストの上昇を招くという問題もあった。
【０００６】
そこで、本発明は以上のような課題を解決すべくなされたものであり、二以上の液晶ディスプレイを備える場合にも低消費電力を実現することのできる液晶表示装置を提供することを目的とするものである。
【０００７】
【課題を解決するための手段】
上記課題を解決するため、請求項１に記載の発明は、２以上の液晶ディスプレイを備えてなる液晶表示装置において、
前記各液晶ディスプレイの裏面に対向して導光板を備え、前記導光板に対して光を照射する一群の光源を備えたことを特徴としている。
【０００８】
このような構成を有する請求項１に記載の発明においては、一群として設けられた光源から照射された光を導光板によって二以上の液晶ディスプレイに導くことにより液晶ディスプレイが複数ある場合にも一群として設けられた光源で照明を行うことができるようになっている。
【０００９】
また、請求項２に記載の発明は、請求項１に記載の液晶表示装置において、前記各液晶ディスプレイを前記導光板を挟んで互いの裏面が対向するように設け、前記導光板の一端部に前記一群の光源を設けたことを特徴としている。
【００１０】
このように、請求項２に記載の発明は、複数の液晶ディスプレイを互いの裏面が対向するように配置した場合でも一群として設けられた光源によって照明を行うことができるようになっている。
【００１１】
また、請求項３に記載の発明は、請求項１に記載の液晶表示装置において、前記各液晶ディスプレイを前記導光板を挟んで互いに位置をずらして２以上配設するとともに、前記導光板一端部に前記一群の光源を設けたことを特徴としている。
【００１２】
このように、請求項３に記載の発明は、導光板を挟んで配置された複数の液晶ディスプレイの位置がずれている場合でも一群として設けられた光源によって照明を行うことができるようになっている。
【００１３】
さらに、請求項４に記載の発明は、請求項１に記載の液晶表示装置において、前記導光板の同一面上に２以上の前記液晶ディスプレイを配設するとともに、前記導光板に光を照射する前記一群の光源を設けたことを特徴としている。
【００１４】
このように、請求項４に記載の発明は、複数の液晶ディスプレイを導光板の同一面上に隣接して設けた場合でも一群として設けられた光源によって照明を行うことができるようになっている。
【００１５】
【発明の実施の形態】
以下、図１（ａ）を参照しつつ本発明に係る液晶表示装置の第一の実施形態について説明する。
【００１６】
本実施形態において、液晶表示装置１には、２つの液晶ディスプレイ２，３が互いの裏面が対向するように設けられている。液晶ディスプレイ２，３は、例えば薄膜トランジスタ（ＴＦＴ）をマトリクス状に配置してスイッチ要素として使用し、ＴＮ方式あるいはＩＰＳ方式等のアクティブマトリックス駆動により液晶を駆動させるものであり、図示しない駆動源と接続されて所定の画像をその表示面に表示させるようになっている。
【００１７】
２つの液晶ディスプレイ２，３の間にはバックライト装置４が設けられている。バックライト装置４は、各液晶ディスプレイ２，３の裏面に対向してそれぞれ各液晶ディスプレイ２，３とほぼ同じ寸法に形成された導光板５ａ，５ｂ、反射板６、光源７を備えている。導光板５ａ，５ｂは、例えば、透明なアクリル板等で形成されており、各液晶ディスプレイ２，３の裏面とほぼ平行となるように配置されている。また、２枚の導光板５ａ，５ｂの間には導光板５ａ，５ｂとほぼ同じ寸法に形成され光を反射させるための反射板６が設けられている。
【００１８】
２枚の導光板５ａ，５ｂは反射板６を間に挟んで一体に形成されており、導光板５ａ，５ｂの一端部には２枚の導光板５ａ，５ｂの両方に光を照射する一群の光源７が配設されている。
【００１９】
ここで「一群の光源」とは、図１（ｂ）及び図１（ｃ）に示すように、光源が一箇所にのみ設けられていることを意味する。例えば、光源として白色ＬＥＤ７ａ，７ａ…を用いた場合には、図１（ｂ）にあるように、用いられる白色ＬＥＤ７ａ，７ａ…の数に関わりなく一箇所に一群として設けられる。また、光源として蛍光管７ｂを用いた場合には、図１（ｃ）にあるように、一本の蛍光管７ｂが光源として導光板の端部に配置される。なお、光源は白色ＬＥＤ７ａ，７ａ…や蛍光管７ｂに限られず、液晶ディスプレイ２，３を照明するに足りる光を提供し得るものであれば足り、例えば、冷陰極蛍光管、熱陰極蛍光管、その他の発光素子を適用してもよい。
【００２０】
また、導光板５ａ，５ｂの一面であって各液晶ディスプレイ２，３に対向する面には、それぞれ図示しない拡散板が設けられており、導光板５ａ，５ｂによって導かれた光を拡散させて各液晶ディスプレイ２，３の全体に均一に照射させるようになっている。
【００２１】
次に、本実施形態の作用について説明する。
バックライト装置４の光源７が点灯すると、光源７から照射された光が２枚の導光板５ａ，５ｂの内部にそれぞれ導入され、導光板５ａ，５ｂの内部で全反射を繰り返して拡散する。拡散した光のうち液晶ディスプレイ２，３の設けられている方向に向かった光は導光板５ａ，５ｂの一面に設けられた拡散板によってさらに拡散されて各液晶ディスプレイ２，３の全面にそれぞれ均一に照射される。他方、導光板５ａ，５ｂの内部で拡散した光のうち各液晶ディスプレイ２，３が設けられている面とは反対面に向かった光は反射板６によって各液晶ディスプレイ２，３の設けられている方向に向かって反射し、前記拡散板によってによってさらに拡散されて各液晶ディスプレイ２，３の全面にそれぞれ均一に照射される。
【００２２】
これにより、各液晶ディスプレイ２，３の照明が行われ、各液晶ディスプレイ２，３上に形成された画像が視認可能となる。
【００２３】
本実施形態においては、ほぼ等しい大きさに形成された２つの液晶ディスプレイ２，３を設けるものとしたが、導光板５ａ，５ｂによって光を導くことができる範囲であれば、それ以上の数設けてもよく、また、それぞれの液晶ディスプレイの大きさが異なっていてもよい。液晶ディスプレイの大きさが異なる場合には、液晶ディスプレイの裏面に対向する位置に拡散板を設けるとともに、それ以外の部分には導光板からの光漏れを防止するとともに反対面に設置されている液晶ディスプレイに光を反射させるための反射板が隙間なく配置される。
【００２４】
また、本実施形態においては、２枚の導光板５ａ，５ｂの間に反射板６を設けるものとしたが、導光板５ａ，５ｂの一面であって各液晶ディスプレイ２，３の裏面に対向する面の反対面に金属を蒸着して反射膜を形成するものとしてもよい。
【００２５】
本実施形態においては、液晶ディスプレイ２，３が導光板５ａ，５ｂを挟んで２つ設けられている場合でも、一群として設けられた光源７によって照明を行うことが可能となるので、光源７を複数組設ける必要がなく、装置の小型化、軽量化を実現することができるとともに、消費電力及び装置コストの削減を図ることが可能となる。
【００２６】
次に、図２（ａ）を参照しつつ、本発明に係る液晶表示装置の第二の実施形態について説明する。
【００２７】
本実施形態において、液晶表示装置には、互いに位置をずらして２つの液晶ディスプレイ８，９が配置されており、２つの液晶ディスプレイ８，９の間にはバックライト装置１０が配設されている。バックライト装置１０は、両液晶ディスプレイ８，９の全面をカバーする寸法に形成された一の導光板１１と、反射板１２，１３、光源１４を備えており、導光板１１は、各液晶ディスプレイ８，９の裏面に対してほぼ平行となるように配置されている。また、導光板１１の表裏それぞれの面であって液晶ディスプレイ８，９の裏面に対応する位置には、光を拡散させるための拡散板（図示せず）が設けられており、それ以外の部分には導光板１１からの光漏れを防止するとともに反対面に設置されている液晶ディスプレイ８，９に光を反射させるための反射板１２，１３が設けられている。導光板１１の一端部には、白色ＬＥＤ等の光源１４が導光板１１に対向するように一群として設けられている。
【００２８】
ここに光源１４を一群として設けるとは、図２（ｂ）及び図２（ｃ）に示すように、光源１４が一箇所にのみ設けられていることを意味する。例えば、光源１４として白色ＬＥＤ１４ａ，１４ａ…を用いた場合には、図２（ｂ）にあるように、用いられる白色ＬＥＤ１４ａ，１４ａ…の数に関わりなく一箇所に一群として設けられる。また、光源１４として蛍光管１４ｂを用いた場合には、図２（ｃ）にあるように、一本の蛍光管１４ｂが光源１４として導光板の端部に配置される。
【００２９】
なお、その他の構成は、第一実施形態のものと同様であるので、その説明を省略する。
【００３０】
次に、本実施形態の作用について説明する。
バックライト装置の光源１４が点灯すると、光源１４から照射された光が導光板１１の内部に導入されて、導光板１１の内部で全反射を繰り返して拡散する。拡散した光のうち液晶ディスプレイ８，９の裏面に対応する方向に向かった光は導光板１１に設けられた拡散板によってさらに拡散されて各液晶ディスプレイ８，９の全面にそれぞれ均一に照射される。他方、導光板１１の内部で拡散した光のうち各液晶ディスプレイ８，９の裏面に対応する方向に向かった光は反射板１２，１３によって各液晶ディスプレイ８，９の設けられている方向に向かって反射し、前記拡散板によってさらに拡散されて各液晶ディスプレイ８，９の全面にそれぞれ均一に照射される。
【００３１】
これにより、２つの液晶ディスプレイ８，９の照明が行われ、両液晶ディスプレイ８，９上に形成された画像が視認可能となる。
【００３２】
なお、本発明が本実施の形態に限られないことは、第一の実施形態と同様である。
【００３３】
本実施形態においては、液晶ディスプレイ８，９が一の導光板を挟んでその位置をずらして２つ設けられている場合でも、一群として設けられた光源１４によって照明を行うことが可能となるので、光源１４を複数組設ける必要がなく、装置の小型化、軽量化を実現することができるとともに、消費電力及び装置コストの削減を図ることが可能となる。
【００３４】
次に、図３（ａ）を参照しつつ、本発明の第三の実施形態について説明する。
【００３５】
図３に示すように、本実施形態において、液晶表示装置は、２つの液晶ディスプレイ１５，１６がバックライト装置１７を構成する導光板１８の同一面上の異なる位置に設けられている。２つの液晶ディスプレイ１５，１６の間には、白色ＬＥＤ等の光源１９が導光板１８に対向するように一群として設けられている。
【００３６】
ここに光源１９を一群として設けるとは、図３（ｂ）及び図３（ｃ）に示すように、光源が１９が一箇所にのみ設けられていることを意味する。例えば、光源１９として白色ＬＥＤ１９ａ，１９ａ…を用いた場合には、図３（ｂ）にあるように、用いられる白色ＬＥＤ１９ａ，１９ａ…の数に関わりなく一箇所に一群として設けられる。また、光源１９として蛍光管１９ｂを用いた場合には、図３（ｃ）にあるように、一本の蛍光管１９ｂが光源１９として導光板の端部に配置される。
【００３７】
導光板１８の内部であって光源１９と対向する位置には、光源１９からの光を導光板１８に沿って各液晶ディスプレイ１５，１６が設けられている方向に分光するための反射部材２０が埋設されている。反射部材２０は断面が光源１９に対向する側に頂点を有する山型形状を有しており、互いに隣接する２つの液晶ディスプレイ１５，１６の辺に沿って延在するように設けられている。また、導光板１８と液晶ディスプレイ１５，１６との間には光を拡散させる拡散板（図示せず）が配設されている。また、導光板１８の一面であって液晶ディスプレイ１５，１６が設けられていない側には導光板１８とほぼ同じ寸法に形成された反射板２１が導光板１８に接するように設けられている。
【００３８】
なお、その他の構成は、第一実施形態のものと同様であるので、その説明を省略する。
【００３９】
次に、本実施形態の作用について説明する。
光源１９が点灯し、光源１９から照射された光が導光板１８に入射すると、光は反射部材２０の傾斜面で反射し導光板１８に沿って、各液晶ディスプレイ１５，１６の設けられている方向に分かれて拡散する。
【００４０】
拡散した光のうち液晶ディスプレイ１５，１６の裏面に対応する方向に向かった光は導光板１８に設けられた拡散板によってさらに拡散されて各液晶ディスプレイ１５，１６の全面にそれぞれ均一に照射される。他方、導光板１８の内部で拡散した光のうち各液晶ディスプレイ１５，１６の裏面に対応する方向に向かった光は反射板２１によって各液晶ディスプレイ１５，１６の設けられている方向に向かって反射し、前記拡散板によってさらに拡散されて各液晶ディスプレイ１５，１６の全面にそれぞれ均一に照射される。
【００４１】
これにより、２つの液晶ディスプレイ１５，１６の照明が行われ、両液晶ディスプレイ１５，１６上に形成された画像が視認可能となる。
【００４２】
なお、本発明が本実施の形態に限られないことは、第一の実施形態と同様である。
【００４３】
本実施形態によれば、２つの液晶ディスプレイ１５，１６を導光板１８の同一面上に配置した場合でも一群として設けられた光源１９によって照明を行うことが可能となる。また、液晶ディスプレイ１５，１６の間であって光源１９と対向する位置に反射部材２０を設けているので、光源１９からの光を確実に２つの液晶ディスプレイ１５，１６に導くことが可能となる。
【００４４】
次に、図４（ａ）及び図４（ｂ）を参照しつつ、本発明に係る第一の実施形態における液晶表示装置を携帯電話機２２に適用した場合の適用例について説明する。
【００４５】
図４（ａ）及び図４（ｂ）に示すように、本実施形態における携帯電話機２２は第一筐体２３と第二筐体２４とをヒンジ部５を介して回動可能に連結し、必要に応じて開閉可能とした折り畳み式となっている。
【００４６】
図４（ａ）に示すように、第一筐体２３の一面であって折り畳み時に内側になる面には、各種の操作キー等からなる入力部２６が配設されている。また、第二筐体２４の一面であって折り畳み時に内側になる面には、入力部２６から入力された情報等を表示する液晶ディスプレイであるメインディスプレイ２７が設けられている。
【００４７】
また、図４（ｂ）に示すように、第二筐体２４の一面であって折り畳み時に外側になる面のほぼ中央部には、メインディスプレイ２７と同様の構造を有する液晶ディスプレイであるサブディスプレイ２８が設けられている。さらに、第二筐体２４の内部には撮像ユニット（図示せず）が設けられており、第二筐体２４のサブディスプレイ２８が設けられている面であってサブディスプレイ２８が設けられている位置よりヒンジ部２５に近い位置には、撮像ユニットのレンズ部２９が露出するように設けられている。また、第一筐体２３の一面であって折り畳み時に外側になる面には、バッテリーボックスのカバー３０が設けられており、カバー１０の内側に設けられたバッテリーボックスには携帯電話機２２の各部に電力を供給するバッテリー（図示せず）等が格納されている。さらに、第一筐体２３の上部一端にはアンテナ３１が配設されている。
【００４８】
第二筐体２４の内部であってメインディスプレイ２７とサブディスプレイ２８との間には、図１に示したバックライト装置が設けられている。バックライト装置は一群として設けられた光源を備えており、メインディスプレイ２７とサブディスプレイ２８の両方を一群の光源によって照明できるようになっている。なお、メインディスプレイ２７とサブディスプレイ２８の大きさが異なる場合には、導光板の表裏それぞれの面であってメインディスプレイ２７とサブディスプレイ２８の裏面に対応する位置には、光を拡散させるための拡散板（図示せず）が設けられるとともに、それ以外の部分には反射板を隙間がないように設け、導光板からの光漏れ等を防止するようになっている。
【００４９】
次に、本実施形態の作用について説明する。
バッテリーから電力が供給されてバックライト装置の光源が点灯すると、光源から照射された光が２枚の導光板の内部にそれぞれ導入され、導光板の内部で全反射を繰り返して拡散する。拡散した光のうちメインディスプレイ２７又はサブディスプレイ２８の設けられている方向に向かった光は導光板の一面に設けられた拡散板によってさらに拡散されてメインディスプレイ２７とサブディスプレイ２８の全面にそれぞれ均一に照射される。他方、導光板の内部で拡散した光のうちメインディスプレイ２７又はサブディスプレイ２８が設けられている面とは反対面に向かった光は反射板によってメインディスプレイ２７又はサブディスプレイ２８の設けられている方向に向かって反射し、前記拡散板によってによってさらに拡散されてメインディスプレイ２７及びサブディスプレイ２８の全面にそれぞれ均一に照射される。
【００５０】
本実施形態によれば、一群の光源によってメインディスプレイ２７及びサブディスプレイ２８両方の照明をおこなうことができる。このため、携帯電話機の消費電力を低減させることができる。また、光源を一群として設けることで足りることから液晶表示装置の小型化を図ることができ、携帯電話機全体の小型軽量化を実現することができる。
【００５１】
次に、図５（ａ）、図５（ｂ）を参照しつつ、本発明に係る第一の実施形態における液晶表示装置をデジタルカメラ３２について適用した適用例について説明する。
【００５２】
図５（ａ）及び図５（ｂ）に示すように、このデジタルカメラ３２は箱型の筐体３３を有し、上部一端部に撮像用のレンズ３４が露出するように設けられている。筐体３３の前面には撮像者が被写体を確認するためのファインダー３５及びストロボの発光部３６が設けられており、筐体３３の背面にはメニューの選択や撮像モードの切り替え等を行う各種の操作ボタン３７ａ，３７ｂ，３７ｃが配設されている。また、筐体３３の上部にはシャッターボタン３８が設けられている。
【００５３】
筐体３３の前面及び背面にはそれぞれ撮影した画像の確認等を行うための液晶ディスプレイ３９，４０が設けられている。また、筐体３３の内部であって各液晶ディスプレイ３９，４０の裏面に対向する位置には、図１に示したバックライト装置が配設されており、一群として設けられた光源が点灯することによって筐体３３の前面及び背面に設けられた各液晶ディスプレイ３９，４０の両方の照明が行われるようになっている。
【００５４】
本実施形態によれば、一群として設けられた光源によって２つの液晶ディスプレイ３９，４０の照明をおこなうことができる。このため、デジタルカメラの消費電力を低減させることができる。また、液晶表示装置の小型化を図ることができるため、デジタルカメラ全体の小型軽量化を実現することができる。
【００５５】
なお、上記２つの適用例については、本発明に係る第一の実施形態における液晶表示装置を適用するものとしたが、図２に示した第二の実施形態又は図３に示した第三の実施形態における液晶表示装置を適用して、携帯電話やデジタルカメラにおいて、各実施形態における液晶表示面の位置関係に相当する各機器の位置に表示部が設けられるようにしてもよい。また、本発明を適用することのできる電子機器は、携帯電話やデジタルカメラに限られるものではなく、液晶による表示部を有する機器であれば他の様々の電子機器に適用することが可能である。
【００５６】
【発明の効果】
以上説明したように、請求項１に記載された発明によれば、電子機器等に複数の液晶ディスプレイが設けられている場合でも一群として設けられた光源によって照明を行うことが可能となる。これにより装置構成の簡易化及び装置コストの低減化を図ることができるという効果を奏する。
【００５７】
また、装置の消費電力を低減することができるため、大型のバッテリーを搭載する等の必要がなくなり、装置の小型化、軽量化を実現することができるという効果を奏する。
【００５８】
また、請求項２に記載の発明によれば、複数の液晶ディスプレイを互いの裏面が対向するように設けた場合に一群として設けられた光源から照射された光をすべての液晶ディスプレイに導くことができる。このため複数の光源を設ける必要がなく消費電力を低減させ、装置の小型軽量化、装置コストの低減を実現することができるという効果を奏する。
【００５９】
また、請求項３に記載の発明によれば、複数の液晶ディスプレイを互いの位置をずらして設けた場合に一群として設けられた光源から照射された光をすべての液晶ディスプレイに導くことができる。このため複数の光源を設ける必要がなく消費電力を低減させ、装置の小型軽量化、装置コストの低減を実現することができるという効果を奏する。
【００６０】
また、請求項４に記載の発明によれば、複数の液晶ディスプレイを導光板の同一面上に隣接して設けた場合に一群として設けられた光源から照射された光を反射部材によって分光することによりすべての液晶ディスプレイに導くことができる。このため複数の光源を設ける必要がなく消費電力を低減させ、装置の小型軽量化、装置コストの低減を実現することができるとの効果を奏する。
【図面の簡単な説明】
【図１】図１（ａ）は、本発明に係る液晶表示装置の第一の実施形態を模式的に示した側面図である。図１（ｂ）および図１（ｃ）は、図１（ａ）に示した液晶表示装置を上から見た図である。図１（ｂ）は、図１（ａ）に示した液晶表示装置の光源が白色ＬＥＤである場合の図であり、図１（ｃ）は、図１（ａ）に示した液晶表示装置の光源が蛍光管である場合の図である。
【図２】図２（ａ）は、本発明に係る液晶表示装置の第二の実施形態を模式的に示した側面図である。図２（ｂ）および図２（ｃ）は、図２（ａ）に示した液晶表示装置を上から見た図である。図２（ｂ）は、図２（ａ）に示した液晶表示装置の光源が白色ＬＥＤである場合の図であり、図２（ｃ）は、図２（ａ）に示した液晶表示装置の光源が蛍光管である場合の図である。
【図３】図３（ａ）は、本発明に係る液晶表示装置の第三の実施形態を模式的に示した側面図である。図３（ｂ）および図３（ｃ）は、図３（ａ）に示した液晶表示装置を上から見た図である。図３（ｂ）は、図３（ａ）に示した液晶表示装置の光源が白色ＬＥＤである場合の図であり、図３（ｃ）は、図３（ａ）に示した液晶表示装置の光源が蛍光管である場合の図である。
【図４】図４（ａ）は、本発明に係る液晶表示装置を適用した携帯電話機の一実施形態を示した正面図である。図４（ｂ）は、図４（ａ）に示した携帯電話機の背面図である。
【図５】図５（ａ）は、本発明に係る液晶表示装置を適用したデジタルカメラの一実施形態を示した斜視図である。図５（ｂ）は、図５（ａ）に示したデジタルカメラを背面方向から見た斜視図である。
【符号の説明】
１  液晶表示装置
２  液晶ディスプレイ
３  液晶ディスプレイ
４  バックライト装置
５ａ，５ｂ  導光板
６  反射板
７  光源
７ａ  白色ＬＥＤ
７ｂ  蛍光管
【図１】
2005024683.tif 000003
【図２】
2005024683.tif 000004
【図３】
2005024683.tif 000005
【図４】
2005024683.tif 000006
【図５】
2005024683.tif 000007